(57)【特許請求の範囲】
【請求項１】
引き戸側に設けたフックケースの底部からフックの係止部を出没させて、柱あるいは壁等に設けたストライカにフックの係止部を係合および係合解除するようにした引き戸用錠前において、前記フックケースにフックの下端の係止部がフックケースより出没しうるようにフックを回動可能に軸支すると共に、該フックを回動させるためのフックスライダを引き戸の開閉方向に移動可能に設け、フックとフックスライダとをフックの上端部に設けたピンとフックスライダの上端のスプリング止めとにねじりコイルバネの各基端を取り付けて連結し、フックスライダにスプリングを介して移動可能にスライドボタンを設けてなり、引き戸を閉じるときスライドボタンがフックケースの内側に押されスプリングを介して伝えられる押圧力でフックスライダが移動し、フックスライダの移動によって生じるねじりコイルバネの弾性力によってフックが回転するようにしたことを特徴とする引き戸用錠前。
【発明の詳細な説明】
【０００１】
【発明の属する技術分野】
本発明は錠前にかかる衝撃力を緩衝し、錠前の損傷を防止すると共に、構造を簡単にした引き戸用錠前の改良に関する。
【０００２】
【従来の技術】
従来の引き戸用錠前として、特公昭５６−３３５５３号公報に開示されたものがある。その概略を図26に示して説明すると、図示省略のフックケースに軸１にてカムプレート２が回動可能に軸支されており、その一端にはピン３を設けたスライドボタン４のピン３を係合すると共に、他端側にはピン６を植設し、このピン６をフック５に形成した案内孔７に係合した構成になっている。
【０００３】
そして、この錠前を設けた引き戸を閉めることにより、図示省略のストライカが設けられている例えば柱に、スライドボタン４′が衝突してフックケース内に押し込まれ、スプリング８の弾性力に抗してカムプレート２を矢印の方向に回動する。このカムプレート２の回動により、フック５の支点10がスプリング９の弾性力に抗して10′の位置に移動させられながら、案内孔７によってピン６を案内してフック５を回動し、図示省略のストライカに係合する。そして、ロックレバー11に外力を与えて回動し、引き戸を開ける方向に移動した時にフック５が５′の方向に回動するのをロックすることにより、引き戸が開かないようにしている。
【０００４】
そして、引き戸を開ける時には、ロックレバー11を外力により矢印方向に回動してフック５のロックを解除した状態で引き戸を開けることにより、フック５の支点10′はスプリング９によって10の方向に引っ張られると同時に、スプリング８によってカムプレート２が矢印とは逆の方向（時計方向）に回動して、フック５を５′の方向に回動させると共にスライドボタン４を突出させ、フック５′とストライカとの係合が解除されながら引き戸が開けられると同時に、スライドボタン４を４′の位置に突出させ、元の状態に復帰させるようにしている。
【０００５】
次に、実開平５−８９７５０号公報に開示された錠前を図27に示してその概略を説明する。図示省略のフックケースには軸１を介してカムプレート２が回動可能に軸支されており、カムプレート２が矢印方向とは反対の方向（時計方向）に常時回転力が与えられるように、スプリングが軸１に装着されている。また、カムプレート２の一端にはスライダ12に設けた長孔14′にカムプレート２に植設したピンが嵌合した状態で、スライダ12が連結されている。スライダ12の他端にはピン14を介してフック５が回動可能に設けられており、このピン14にはフック５が矢印の方向（反時計方向）に常時回転するように回転力を与えるためのスプリングが装着されている。
【０００６】
そして、引き戸を閉めると図示省略のストライカが設けられている例えば柱にスライドボタン４が衝突して矢印の方向に押され、カムプレート２を矢印の方向に回動する。このカムプレート２の回動により、スライダ12が矢印の方向に水平移動させられて、フック５が図示省略のフックケースの底部から突出し、図示省略のストライカにフック５が係合し、引き戸の開き方向にロックする。
【０００７】
次に、引き戸を開く時には外部の力でロック解除部材15を矢印の方向に押し下げ、矢印方向に回転力が与えられているスプリングの弾性力に抗して、フック５の後部16を押してフック５を５′の位置まで回動し、フック５′と図示省略のストライカとの間の係合を解除した後に引き戸を開ける。そして、カムプレート２は時計方向に常時回転力が与えられているので、引き戸を開けると自動的にカムプレート２が時計方向に回動してスライドボタン４を４′の位置まで突出させ、元の状態に復帰させるようにしている。
【０００８】
次に、実開平５−４７２６３号公報に開示された従来例を図28に示して、その概略を説明する。スライダ17に植設されたピン18が図示省略のフックケースにあけられた長孔19に案内されて、スライダ17を矢印の上下方向に移動できるようになっている。また、スライダ17の端部に設けられたピン22とフックケースに設けられたピン21との間にねじりコイルバネ20が設けられていて、スライダ17の上下方向の移動を弾性的に規制するようにしている。
【０００９】
また、フックケースには軸25を介してフック５が回動可能に設けられており、スライダ17に設けたピン23がフックに形成した凹部24に係合して、スライダ17の移動によりフック５が回動されるようになっている。ピン23はフックケースにあけられた長孔26にそって案内されるようになっている。また、フックケースには軸30を介してレバー27が設けられており、このレバー27の後端28がスライダ17に設けた係止部29に係合するようになっている。そして、フック５およびレバー27にはそれぞれねじりコイルバネ31と32が設けられていて、フック５およびレバー27が常時反時計方向に回動するように、弾性力が付与されている。
【００１０】
この錠前を設けた引き戸を閉めた時に、図示省略のストライカを設けた例えば柱にレバー27′が衝突し、ねじりコイルバネ32の弾性力に抗してレバー27′を27の位置まで回動し、後端28と係止部29′との間の係止を解除する。そして次にスライダ17を外部の力によって上方向にスライドさせてフック５を反時計方向に回動し、ストライカとフック５とを係合して、引き戸の開き方向に対してロックする。
【００１１】
次に、引き戸を開ける場合において、レバー27の後端28はスライダ17が下方向への移動に対して係止部29に係止しない形状になっているので、スライダ17を外部の力により自由に下方向に移動させることができるようになっている。そこでスライダ17を外部の力で下方向に移動させることにより、フック５をねじりコイルバネ31の弾性力に抗して時計方向に回動し、フック５とストライカとの間の係合を解除し、引き戸を開けるようにしている。
【００１２】
【発明が解決しょうとする課題】
上記従来の引き戸用錠前は次の点で改良すべき問題がある。引き戸用錠前を取りつけた時点では問題はないのであるが、その後に地盤沈下や木材の乾燥収縮等により住宅全体に歪みが生じて、ドア枠にその歪みが波及する場合がある。このように、ドア枠に歪みが生じた場合に、柱等に設けたストライカとフックとの間の位置がずれて、ドアを閉めた時にフックがストライカに衝突するようになる。
【００１３】
そこで、特公昭５６−３３５５３号公報および実開平５−８９７５０号公報に開示されたものにあっては、ドアを閉めた時にスライドボタン４′がストライカに当接して、軸１を中心にカムプレ−ト２を強制的に回転し、フック５を突出させるようにしているので、このフック５がストライカに衝突した場合に、この衝突の力によってカムプレ−ト２を反対方向に回動する力が働くことになる。しかしながら、カムプレ−ト２が衝撃力により反対方向に回動すると、スライドボタン４′の先端はストライカに当接するようになるので、カムプレ−ト２の反対方向への回動ができなくなり、軸１に大きな衝撃力が働いて、錠前の各部にその力が波及し、屈曲や変形など錠前を損傷するという問題がある。
【００１４】
また、この錠前をドアに取りつけた状態で輸送した場合に、ドア自体は相当な重量物であり、かつ、フックかスライドボタンのいずれか一方が突出した状態にあるので、その突出しているフックまたはスライドボタンを損傷しないように、厳重な保護部材を設けて梱包しなければならない。そのために、梱包に手間がかかると共に、その取扱に十分な注意が必要になって、取扱の点で問題があり、また、フックなどを万が一曲げてしまった場合にはそれを取り替える必要があり、更にフックなどが曲がっていることを発見するのは、梱包を解いた現場であるので、その取り替えに時間がかかるという問題がある。
【００１５】
次に、取扱性、加工性および組付性の点で次のような改良すべき問題がある。先ず特公昭５６−３３５５３号公報に開示されたもは、カムプレート２、スライドボタン４、フック５、ロックレバー11、およびスプリング８、９の合計六個の部品からなっており、これらの部品の加工および組付に多くの時間が必要となって、加工および組付性の点で改良すべき問題がある。
【００１６】
特に組付においてカムプレート２、スライドボタン４、フック５、ロックレバー11はばらばらの状態にあり、カムプレート２とスライドボタン４との連結はピン３により、またカムプレート２とフック５との間の連結はピン６により行い、更にスプリング８および９によりカムプレート２およびフック５にはその弾性力が働いているので、その組付は困難である。
【００１７】
そして、引き戸の施錠および施錠解除はロックレバー11を回動することにより行うのであるが、このロックレバー11の回動は引き戸の移動方向（矢印イ方向）に一致していないので、引き戸の開け閉めの力を利用するのが困難であり、ロックレバー11を回動させるためには、引き戸を開け閉めする方向の力とは別の方向の力が必要になる。そのために、引き戸の施錠および施錠解除をするためには、引き戸を開け閉めする以外に別の操作が必要になって面倒であることから、取扱の点で改良すべき問題がある。
【００１８】
次に、実開平５−８９７５０号公報に開示されたものは、カムプレート２、スライドボタン４、スライダ12、フック５、解除部材15、カムプレート２に常時回転力を与えるためのスプリング、フック５に常時回転力を与えるためのスプリングの合計七個の部品からなっており、これらの部品の加工および組付に多くの時間が必要となって、加工および組付性の点で改良すべき問題がある。
【００１９】
また特に組付において、カムプレート２およびフック５はスプリングによって常時回転力が与えられた状態で、カムプレート２とスライダ12とをピンにて連結しなければならないので、その組付は困難である。そして、引き戸の施錠および施錠解除は解除部材15を垂直方向に移動することにより行うのであるが、この解除部材15の移動は引き戸の移動方向（矢印イ方向）に直行する方向であるので、引き戸の開け閉めの力を利用するのが困難であり、解除部材 15 を上下動させるためには、引き戸を開け閉めする方向の力とは別の方向の力が必要になる。そのために、引き戸の施錠および施錠解除をするためには、引き戸を開け閉めする以外に別の操作が必要になって面倒であることから、取扱の点で改良すべき問題がある。
【００２０】
次に、実開平５−４７２６３号公報に開示されたものは、フック５、スライダ17、レバー27およびねじりコイルバネ20、31、32の合計六個の部品からなっており、これらの部品の加工および組付に多くの時間が必要となって、加工および組付性の点で改良すべき問題がある。
【００２１】
特に組付においてスライダ17、フック５およびレバー27はばらばらの状態にあり、フック５はねじりコイルバネ31の弾性力により回転力が働いているので、その組付は困難である。そして、引き戸の施錠および施錠解除はスライダ17を垂直方向に移動することにより行うのであるが、このスライダ17の移動は引き戸の移動方向（矢印イ方向）に直行する方向であるので、引き戸の開け閉めの力を利用するのが困難であり、スライダ17を上下動させるためには、引き戸を開け閉めする方向の力とは別の方向の力が必要になる。そのために、引き戸の施錠および施錠解除をするためには、引き戸を開け閉めする以外に別の操作が必要になって面倒であることから、取扱の点で改良すべき問題がある。
【００２２】
また、上記従来例において、引き戸の施錠および施錠解除をする部材の移動方向は引き戸の開閉移動方向に一致していないことから、引き戸の開閉動作により引き戸の施錠および施錠解除部材を移動させるためには、その機構が複雑になり、更に加工性および組付性を低下させるという問題がある。
【００２３】
本発明はスライドボタンが単独で出没可能なようにして、錠前の損傷を防止し、錠前の部品を少なくして加工性および組付性を向上すると共に、簡単な機構で引き戸の開閉移動を利用して、引き戸の施錠および施錠解除を行えるようにして、その取扱を容易にした引き戸用錠前を提供するものである。
【００２４】
【課題を解決するための手段】
上記課題を解決するための請求項１の記載から把握される手段は、引き戸側に設けたフックケースの底部からフックの係止部を出没させて、柱あるいは壁等に設けたストライカにフックの係止部を係合および係合解除するようにした引き戸用錠前において、前記フックケースにフックを回動可能に軸支すると共に、該フックを回動させるためのフックスライダを移動可能に設け、該フックスライダの移動方向と同一方向にフックの前記係止部がフックケースの底部より出没可能なようにし、該フックスライダにスプリングを介して移動可能にスライドボタンを設けると共に、フックスライダとスライドボタンとが一体となってフックケースの底部からフックスライダの移動方向に出没可能にし、フックスライダとフックの端部との間をねじりコイルバネで連結し、フックスライダの移動によってフックを回転するように、フックとフックスライダとを連結したことを特徴とする。
【００２５】
次に、請求項１の記載から把握される手段により課題がどのように解決されるかについて説明する。請求項１の記載から把握される手段において、フックケースに回動可能に軸支したフックの係止部が、フックスライダの移動方向と同一方向にフックケースの底部より出没可能なようにし、かつ、スライドボタンをフックケースの底部からフックスライダの移動方向に出没可能に取り付けることにより、引き戸の開閉移動方向とフックスライダのスライド方向を一致させて、フックの係止部とスライドボタンを出没させることができる。
【００２６】
また、スプリングを介してスライドボタンをフックスライダに取り付けたので、スライドボタンおよびフックに軸方向の無理な力が働いた時に、フックスライダとは切り離された単独の状態で、スライドボタンをフックスライダの移動方向と同一方向にフックケースの底部より出没させることができる。
【００２７】
そして、フックスライダとフックの端部との間をねじりコイルバネで連結し、フックスライダの移動によってフックが回転するように、フックとフックスライダとを連結したので、ロック部材を用いることなく、ねじりコイルバネの弾性力により、フックの係止部とストライカとの間の係合を維持して引き戸の開きをロックすることができ、開き戸の開きロックの解除は、ロック解除部材を用いることなく、フックスライダを移動してフックを回動し、フックの係止部とストライカの係合を解除することができる。
【００２８】
【発明の実施の形態】
請求項１の記載から把握される本発明の実施の形態は次の通りである。図１において、引き戸Ｄ側に設けたフックケース35の底部からフック５の係止部 501を出没させて、柱あるいは壁Ｗ等に設けたストライカ36にフック５の係止部 501を係合および係合解除するようにした引き戸用錠前であって、フックケース35にフック５を回動可能に軸34に軸支すると共に、図２に示すようにフックスライダ33に設けた係合孔 331にフック５に設けた係合ピン 502を係合して、フックスライダ33の移動によりフック５を回動させるようにフックスライダ33を移動可能に設ける。
【００２９】
そして、フックスライダ33の移動方向（矢印Ｓ）と同一方向にフック５の係止部 501がフックケース35の底部より出没可能なようにする。また図３に示すように、フックスライダ33に設けたスプリング受け 339とスライドボタン４に設けたスプリング受け 406との間に、スプリング47を設け、スライドボタン４の軸方向またはフック５に無理な力が働いた時に、スプリング47を押し縮めてスライドボタン４が単独で移動できるようにする。また、スライドボタン４またはフック５に無理な力が働かない時には、図２に示すように、スライドボタン４はフックスライダ33とともに移動し、フックケース35の底部からフックスライダ33の移動方向（矢印Ｓ）に出没可能にする。また、フックスライダ33とフック５の端部との間をねじりコイルバネ37で連結する。
【００３０】
次に、本発明の実施の形態について、更に詳しく説明する。図１において、引き戸Ｄ側にはフックケース35が取りつけられており、柱あるいは壁Ｗ側にはストライカ36が取りつけられている。このフックケース35にはフック５が回動可能に軸34に軸支されている。また、図２に示すようにフックスライダ33に設けた係合孔 331にフック５に設けた係合ピン 502を係合して、フックスライダ33の移動によりフック５を回動させるようになっている。
【００３１】
そして、フックスライダ33の移動方向（矢印Ｓ）は図１における引き戸Ｄの開閉方向と一致しており、フックスライダ33を矢印Ｓ方向にスライドしてフック５を回転することにより、フック５の係止部 501がフックケース35の底部より矢印Ｓ方向に出没するようにしている。また、フックスライダ33にはスライドボタン４がスプリング47を介して取りつけられており、スライドボタン４またはフック５に大きな外力が働いた時には、スプリング47を押し縮めてスライドボタン４がフックスライダ33とは独立して移動できるようになっており、大きな力が働かない時にはフックスライダ33と一体になって、フックスライダ33の矢印Ｓ方向へのスライドにより、スライドボタン４はフックケース35の底部からフックスライダ33の移動方向と同じ矢印Ｓ方向に出没するようにしている。また、フックスライダ33とフック５の端部はねじりコイルバネ37で連結されている。
【００３２】
次に、各部の詳細について説明する。図３は図１におけるフックスライダ33にスライドボタン４を装着した状態を示している。このフックスライダ33は図４に示すように、肉厚ｔの薄い板材でできており端部を略直角に曲げて頭部 333が形成されている。また、図３においてこのフックスライダ33の平面形状は概略Ｔ字形をしており、その先端部には幅J1の先端ガイド面 334が形成され、中央部には幅J2の中央ガイド面 336が形成されている。
【００３３】
また、先端ガイド面 334と中央ガイド面 336の間に腕 337を設け、この腕 337には、スプリング47を受けるための、スプリング受け 339を形成すると共に、ねじりコイルバネ37の基端を止めるためのスプリング止め 332が形成されている。このスプリング受け 339とスプリング止め 332は、フックスライダ33のプレス加工により形成される。図４にも示すようにスライドボタン４には、ガイド孔 405が設けられていて、このガイド孔 405にスプリング止め 332が嵌合し、スライドボタン４はフックスライダ33に対して、移動可能になっている。
【００３４】
また、スライドボタン４には段部 407が設けられていて、スプリング止め 332に止められるねじりコイルバネ37の基端部が、スライドボタン４の下側に位置するようになっている。また、スライドボタン４にはスプリング受け 406が設けられていて、このスプリング受け 406とフックスライダ33に設けたスプリング受け 339との間に、スプリング（圧縮バネ）47が取りつけられている。このスプリング47の弾性力の強さは、スライドボタン４またはフック５に強い外力が働いた時に、スプリング47を押し縮めてスライドボタン４が単独で移動でき、かつ、スライドボタン４またはフック５に強い外力がかからない時には、スライドボタン４とフックスライダ33とが一体になって、スライドボタン４が移動するように決定されている。
【００３５】
先端ガイド面 334の部分には係合孔 331があけられている。この係合孔 331の幅J5は係合ピン 502（図２）の直径よりも広い寸法になっており、フック５がフックスライダ33に対して一定の回動角度で自由に回動できるようになっている。頭部 333の幅J3は、後で説明するノブが当接するに必要な幅になっている。 335はストッパ面である。
【００３６】
フック５の平面形状は図２に示すように概略Ｊの字形になっており、そのほぼ中心部に軸34が設けられている。そして、一端には係止部 501が形成されており、他端にはねじりコイルバネ37を取り付けるためのピン 503を設け、軸34とピン 503とを結ぶほぼ線上であってその中間部に係合孔 331に係合する係合ピン 502が設けられている。また、ピン 503をプレス加工することにより、部品点数を少なくしている。
【００３７】
次に、図８は図１におけるフックケース35の斜視図であり、その概略の形状は取付フランジ 355を設けた対象形の部材を合わせるようにしている。 351は天井フランジ 357を切欠いて形成したガイド面であり、ガイド面 351の間隔J2′は図３に示したフックスライダ33の中央ガイド面 336の幅J2にほぼ等しくし、中央ガイド面 336をガイドするようにしている。 352はガイドフランジでありガイド面 351の間に嵌入されて組み立てられた時に、ガイドフランジ 352の先端と壁面との間に、図４に示すフックスライダ33の肉厚ｔに相当する間隙ができるように、ガイドフランジ 352の幅J4を狭くしている。
【００３８】
353は壁面を切り起こして形成したガイド面、 354は図１における軸34を両端支持するための軸孔であり、図７に示すようにガイド面 353と軸孔 354との間の間隔J1′は図３におけるフックスライダ33の先端ガイド面 334の幅J1にほぼ等しくして、このガイド面 353と軸孔 354に支持される軸34の外周との間で、先端ガイド面 334をガイドするようにしている。図６および図７に示すように取付フランジ 355は取付プレート38にプレス加工で一体に設けられたカシメピンで固定され、取付プレート38には図３に示す直径D1のスライドボタン４が挿通可能な直径D2の孔39があけられている。このように、カシメピンをプレスにより取付プレート38に一体に設けることにより、部品点数を少なくしている。
【００３９】
次に、図１におけるストライカ36について説明する。図９から図11において、ストライカ取付部材 361の表面に肉厚ｔ長さL4のストライカ本体 362が固定されており、ストライカ本体 362にはフック５が出入りするための、幅J6長さL1のフック孔 363があけられていると共に、ストライカ取付部材 361にも幅J6長サ L2の孔 366があけられている。また、フック孔 363には傾斜面 364が設けられている。ストライカ取付部材 361は図11に示すように溝型になっており、その両端には図10に示すようにＵ溝 365が形成されている。
【００４０】
図12および図13にストライカ取付プレート40を示す。このストライカ取付プレート40の肉厚ｔは図９に示したストライカ本体 362の肉厚ｔに等しくしており、ストライカ嵌合孔 401にストライカ本体 362を嵌合した時に、ストライカ取付プレート40とストライカ本体 362とが面一になるようにしている。また、ストライカ嵌合孔 401の長さL3はストライカ本体 362の長さL4よりも長くなっており、図12に示すようにストライカ本体 362がストライカ嵌合孔 401に嵌合された状態で、ストライカ36を矢印イの方向に移動できるようになっている。
【００４１】
402はストライカ固定孔であり、図10に示したＵ溝 365に位置しており、図14に示す一辺がL5の正方形のナット41にストライカ固定孔 402に挿通したボルトを螺合して、ストライカ36を矢印イ方向に位置調整して、ストライカ36をストライカ取付プレート40に締結するようにしている。この締結に際して、調整ねじ孔 404に螺合しているねじにより、ストライカ36をストライカ取付プレート40に対して矢印ロの方向に位置調整できるようにしている。 403はストライカ取付プレーと40を例えば柱に取りつけるためのプレート固定孔である。
【００４２】
図15から図17にストライカ36の他の実施例を示して説明する。図15はフロントプレート 367の平面を示す図であり、ほぼ中央部に幅J6で長さL3のフック孔 367b があけられており、その端部にはフロントプレート取付孔 367a があけられている。図16はストライカ本体 362の平面を示す図であり、ほぼ中央部に幅J6で長さL1のフック孔 363があけられている。
【００４３】
このフック孔 363の長さL1は図15に示したフック孔 367b の長さL3よりも短くなっており、ストライカ本体 362がフロントプレート 367に対してフック孔 363の長手方向にずれても、フック孔 363にフック５が係止できるようになっていて、フック５に対する上下方向の位置調整ができるようになってる。また、このストライカ本体 362の上下方向の位置調整ができるように、ストライカ本体 362の両端にＵ溝 365が設けられている。図17はワッシャー 368の平面を示しており、このワッシャー 368にもＵ溝 369が設けられている。
【００４４】
図18から図20はフロントプレート 367、ストライカ本体 362およびワッシャー 368を組みつける各種態様を示した図である。まず、ストライカ36を取りつけるために、柱等に穴 451およびフック５を収容するためのケース 369を嵌め込むための穴 452が掘られる。そして、フロントプレート 367を取りつけるための穴 451の深さＤは一定である。この穴 451の深さＤは、フロントプレート 367の肉厚ｔ1 ＋ストライカ本体の肉厚ｔ2 ＋二枚のワッシャー 368の肉厚２×ｔ3 に等しくしている。ワッシャー 368の肉厚ｔ3 の一例を示せば１mmである。
【００４５】
図18の組付はフロントプレート 367とストライカ本体 362を密着させた状態で、二枚のワッシャー 368をストライカ本体 362の裏面に当てがい、フロントプレート取付孔 367a に螺子を挿通して固定するようにしている。これにより、フロントプレート 367の表面からストライカ本体 362の裏面（フック５の係合面）までの高さＨ3 はフロントプレート 367の肉厚ｔ1 ＋ストライカ本体 362の肉厚ｔ2 になり、かつ、穴 451の深さＤを変えないでフロントプレート 367を取りつけることができる。
【００４６】
次に、図19の組付はフロントプレート 367、ワッシャー 368、ストライカ本体 362およびワッシャー 368の順に組みつけている。この組付において、フロントプレート 367の表面からストライカ本体 362の裏面までの高さＨ2 はフロントプレート 367の肉厚ｔ1 ＋ワッシャー 368の肉厚ｔ3 ＋ストライカ本体 362の肉厚ｔ2 となり、かつ、穴 451の深さＤを変えないでフロントプレート 367を取りつけることができる。
【００４７】
次に、図20の組付はフロントプレート 367、二枚のワッシャー 368、ストライカ本体 362の順に組みつけている。この組付において、フロントプレート 367の表面からストライカ本体 362の裏面までの高さＨ1 はフロントプレート 367の肉厚ｔ1 ＋二枚のワッシャー 368の肉厚２×ｔ3 ＋ストライカ本体 362の肉厚ｔ2 となり、かつ、穴 451の深さＤを変えないでフロントプレート 367を取りつけることができる。
【００４８】
このように、フロントプレート 367、ストライカ本体 362および二枚のワッシャー 368を組み合わせて取りつけることにより、Ｈ1 〜Ｈ3 までフロントプレート 367の表面とストライカ本体 362の裏面の間の高さ（フック５に対する前後方向）を調節することができ、フック５とストライカ本体 362との係合状態を調節することができる。また、ストライカ本体 362の両端およびワッシャー 368にそれぞれＵ溝 365および 369を設けたので、フロントプレート 367に設けた取付孔 367a に挿通した螺子に対して、ストライカ本体 362およびワッシャー 368を上下方向に移動することができ、フック５とストライカ本体 362との間の係合状態を前後および上下方向に調節することができる。また、二枚のワッシャー 368を用いることにより、穴 451の深さＤを変えることなく取りつけることができるようになる。
【００４９】
図21はドアＤの両面に設けられた把手42とフックスライダ33との間の取り合いを示す図であり、把手42に設けた突起44が図７および図８に示す把手取付孔 358に挿入されており、把手42に回動可能に設けられたノブ43の先端部 431で、フックスライダ33の頭部 333を押すようにしている。
【００５０】
係合孔 331の他の実施例を図23に示す。このフックスライダ33に設けた係合孔 331′には、フック５に設けた係合ピン 502が案内される傾斜角度αの傾斜面 338が形成されている。このように、傾斜面 338を形成することにより、フックスライダ33が移動して係合ピン 502a が傾斜面 338b に押されて 502b に移動する間のフックスライダ33の移動距離はＬa であり、図３に示す係合孔33のように傾斜面を備えていない場合に比べて、フックスライダ33の移動距離がＬb ＝ａ1 ／cos αだけ短くなる。また、同様に更にフックスライダ33が移動して係合ピン 502a が傾斜面 338c に押されて 502c に移動する間のフックスライダ33の移動距離はＬd であり、図３に示す係合孔33のように傾斜面を備えていない場合に比べて、フックスライダ33の移動距離がＬe ＝ａ2 ／cos αだけ短くなる。
【００５１】
すなわち、図３に示した係合孔33のように傾斜面 338を備えていない場合にはフックスライダ33をＬc 、Ｌf だけ移動しなければならないのに対して、傾斜面 338を設けた場合にはフックスライダ33の移動距離がａn ／cos αだけ短いＬa 、Ｌd だけ移動すればよく、その分フック５の突出を早くすることができる。また、同様に係合ピン 502e から 502d 、 502c への移動においてもスライダ33の移動距離がａn ／cos αだけ短くなり、その分フック５の引っ込みを早くすることができる。
【００５２】
図25を用いて具体的に説明すると、まず（Ａ）の状態においては係合ピンは 502a の位置にあってフック５は引っ込んでいる。そして、引き戸を矢印（Ｄ）の方向に移動すると、スライドボタン４の先端がストライカ本体 362に当接して、フックスライダ33は矢印（Ｓ）の方向に移動させられる。そこで、フックスライダ33の移動量がＬd になった時に（Ｂ）、係合ピンは 502c の位置にあり、軸34と係合ピン 502c およびピン 503が垂直状態になる。この垂直状態からフック５が突出する方向に微小量フック５が回動すると、ねじりコイルバネ37（図２参照）の弾性力により、フック５が突出する方向に回動させられて、ストライカ本体 362に係合し施錠されると共に、係合孔 331と係合ピン 502との係合により、フックスライダ33が図（Ｃ）における矢印（Ｓ）方向に移動させられて、スライドボタン４の先端とストライカ本体 362との間に、隙間Ｃができるようになる。
【００５３】
次にこの施錠を解除して引き戸を開ける場合には、スライドボタン４の先端とストライカ本体 362との間の隙間Ｃ（一例を示せば略４mm）だけ、フックスライダ33を矢印（Ｓ）とは反対の方向に移動させることにより、フック５は５′の位置まで回動させられてフック孔 363とフック５との間に隙間Ｃ0 ができて施錠解除され、引き戸を開けることができると共に、スライドボタン４を突出させ、かつ、フック５を引っ込めた（Ａ）の元の状態にすることができる。
【００５４】
図24において、フック５の先端に傾斜角度βにした傾斜ガイド面 504を形成する。これにより、例えばフック５が突出した状態で引き戸を閉めても、フック孔 363の上縁が傾斜ガイド面 504に摺接してフック５を５′の位置まで押し下げてフック５の先端がフック孔 363の上縁を通過し、ねじりコイルバネ37の弾性力によりフック５が５″の位置まで回動して、ストライカ本体 362に係合させることができるようになっている。
【００５５】
このように構成した本実施例の作用について次に説明する。先ずこの引き戸用錠前の組付について説明する。組付部品としてはフック５、スライドボタン４、フックスライダ33、ねじりコイルバネ37およびスプリング47の五点である。図８において、ガイド面 351の間にフックスライダ33の中央ガイド面 336（図３）を位置させて、フックスライダ33をフックケース35の一方にセットし、次に図２においてフックスライダ33の係合孔 331にフック５の係合ピン 502を係合した状態で、フック５に設けた軸34を図８に示す軸孔 354に挿入する。
【００５６】
これにより、フックスライダ33の先端ガイド面 334（図３）が、フックケース35の壁面に形成したガイド面 353と軸34の間に位置するようになる。ここまでの組付においては、スプリングの弾性力が全くなく、かつ、部品点数が少ないので、組付を容易にすることができる。そして、ねじりコイルバネ37の基端をスプリング止め 332とフック５に設けたピン 503に支持した後に、スライドボタン４のガイド孔 405をスプリング止め 332に嵌着し、スプリング受け 406と 339との間にスプリング47を装着する。そして、他方のフックケース35を一方のフックケース35に合わせてカシメ等で結合する。
【００５７】
次に、図21に示すようにドアＤの開閉方向（矢印ハ）とフックスライダ33のスライド方向を一致させ、フックスライダ33の頭部 333をノブ43の先端 431で単に押すだけにし、両者を連結するための特別な機構を不要にしたので、図１および図21に示すようにドアＤに開けられた穴にフックケース35を装着し、把手42の突起44をフックケース35の把手取付孔 358に差し込んで把手42をドアＤに固定することにより、ドアＤへの錠前の取付を容易に行うことができる。
【００５８】
一方において、柱あるいは壁へのストライカ36の取付は、図１および図21に示すように柱等に掘られた穴45にストライカ取付部材 361を嵌着し、ストライカ取付プレート40を柱等に取りつける。そして、ストライカ本体 362は図12に示すように矢印イの方向に移動できるようになっているので、図１に示すようにストライカ本体 362とフック５の係止部 501との間の位置合わせをすることができ、また調整ねじ孔 404に螺合しているねじにより、矢印ロの方向に移動して、ストライカ本体 362とフック５の係止部 501との間の間隙を調整し、フック５によるドアＤ引きつけとロックおよびロック解除が円滑になるようにすることができる。
【００５９】
また、図１に示すように、ドアＤと柱Ｗ等との間にクッション材46を介在して、ドアＤの開き方向へのロック状態において、フック５の係止部 501とストライカ本体 362との間の密着性をよくし、柱Ｗ等へのドアＤの引きつけをよくすると共に、ドアＤを閉めた時の衝撃をなくすようにしてもよい。
【００６０】
次に、フックケース35に回動可能に軸支したフック５の係止部 501が、フックスライダ33の移動方向と同一方向にフックケース35の底部より出没可能なようにし、かつ、スライドボタン４をフックケース35の底部からフックスライダ33の移動方向に出没可能に取り付けるようにしたので、図21に示すように引き戸Ｄに設けた把手42のノブ43を持ってドアＤを矢印ハの方向に開けることにより、フック５の係止部 501とストライカ本体 362との間の係止を解除することができ、また把手42の段部 421に手を掛けてドアＤを閉めることにより、フック５の係止部 501とストライカ本体 362とを係止することができる。
【００６１】
これについて具体的に説明すると、図２（Ａ）において、フック５はねじりコイルバネ37の弾性力により、軸34を回動中心とした時計方向の回転力が与えられ、フック５の係止部 501とストライカ本体 362とが係合して、ドアが閉められた状態でロックされている。そして、ドアＤを開ける時に図21に示すようにノブ43に手を引っかけてノブ43を43′のように回動することにより、ノブ43の先端 431でフックスライダ33の頭部 333を押し、フックスライダ33をドアＤの開ける方向（矢印ハ）とは逆の方向にスライドさせる。
【００６２】
すなわち、図２（Ａ）の状態において、スライドボタン４の先端とストライカ本体 362との間に設けた隙間Ｃ（一例を示せば略４mm）だけフックスライダ33を移動する。この間のフックスライダ33の移動ではドアＤはまだ開く方向に移動しないで、フックスライダ33のみを移動させることができる。あるいは、この隙間Ｃを設けなくても、スプリング47を押し縮めながら、ドアＤを開く方向に移動させないで、フックスライダ33のみを移動するようにすることもできる。また、隙間Ｃを設けた場合には、この隙間Ｃを通して例えば金尺などの薄い物を挿入して、フック５を押し下げることにより、図（Ｂ）の状態にすることもできる。
【００６３】
このように、フックスライダ33を隙間Ｃ（あるいはスプリング47を押し縮めて）だけ移動すると、ねじりコイルバネ37の基端間隔K1を縮めながら、係合孔 331と係合ピン 502との間の係合により、フック５は軸34を回動中心として回動させられて、図２（Ｂ）の状態になり、フック５の係止部 501がフック孔 363を通過できる状態になると共に、スライドボタン４の先端がストライカ本体 362に当接し、ドアＤが開けられる状態になる。
【００６４】
そして、引き続き図21に示すノブ43に手を掛けてドアＤを開けることにより、図２（Ｂ）に示すようにドアＤは矢印（Ｄ）の方向に移動し、フックスライダ33はノブ43の先端 431で押されて矢印（Ｓ）の方向にスライドして、フック５を更に回動させると同時にスライドボタン４を矢印（Ｓ）方向に突出させる。
【００６５】
そして、フック５がある回転角度まで回動されると、ねじりコイルバネ37の基端間隔がK2まで押し縮められていて大きな弾性力が働いており、かつ、係合孔 331は係合ピン 502の直径よりも大きくなっていて、フック５の回動がフックスライダ33とは無関係にある回転角度だけ回動できるようになっているので、図２（Ｃ）に示すようにフック５は自動的に反時計方向に回動してフックケース35内に没して、ねじりコイルバネ37の弾性力によりその状態が保たれると共に、スライドボタン４は最大突出量まで突出した状態になる。
【００６６】
次に、図21に示す把手42の段部 421に手を掛けてドアＤを図２（Ｃ）の矢印Ｄの方向に閉めると、突出しているスライドボタン４がストライカ本体 362に衝突して押され、フックスライダ33を矢印（Ｓ）の方向に移動する。そして、係合孔 331に係合している係合ピン 502により、フック５は軸34を中心として、ねじりコイルバネ37の基端間隔K1を押し縮めながら時計方向に回動して図２（Ｂ）の状態になり、フック５がある回転角度になるとねじりコイルバネ37の弾性力により、係合ピン 502が係合孔 331内を自由移動してフック５をフックスライダ33の移動とは無関係に回動し、図２（Ａ）のようにスライドボタン４の先端とストライカ本体 362との間に隙間Ｃを形成した状態で、ねじりコイルバネ37の弾性力により、フック５の係止部 501とストライカ本体 362との係合を保持するようにしている。
【００６７】
このように、スライドボタン４をフックケース35の底部からフックスライダ33の移動方向に出没可能に、所定の弾性力を有するスプリング47を介して、フックスライダ33に取り付けることにより、フックボタン４は直接フックスライダ33により移動させられるので、フックボタン４を移動させるためのスプリングやカムプレートを省略することができる。
【００６８】
そして、フックスライダ33とフック５の端部との間をねじりコイルバネ37で連結し、フックスライダ33の移動によってフック５が回転するように、フック５とフックスライダ33とを連結したので、ロック部材を用いることなく、ねじりコイルバネ37の弾性力により、フック５の係止部 501とストライカ本体 363との間の係合を維持して引き戸の開きをロックすることができ、開き戸の開きロックの解除は、ロック解除部材を用いることなく、フックスライダ33を移動してフック５を回動し、フック５の係止部 501とストライカ本体 362の係合を解除することができる。
【００６９】
また、フック５の回動抵抗はねじりコイルバネ37の基端間隔K1からK2まで押し縮める力であり、かつ、係合孔 331内において係合ピン 502が自由に移動でき、更にノブ43の先端部 431とフックスライダ33の頭部 333とが離れているので、何らかの原因で開いているドアＤのフックケース35の底部からフック５が出ている場合でも、軽い力でフック５をフックケース35内に納めることができて、手などをフック５に引っかけることもなく、また図２（Ａ）のようにドアＤがロックされた状態において、ノブ43を引いてもドアＤが開かない場合でも、ドアＤとストライカ本体 362の間に薄いものを差し込んで、フック５を回動し、錠前が故障した緊急時においてもドアロックを解除することができる。
【００７０】
また、地盤沈下や木材の乾燥などにより、ドア枠に歪みが発生し、図５に示すようにストライカ本体 362の位置がずれて、（Ｂ）のように係止部 501がストライカ本体 362に当接するようになった場合に、ドアを閉めた時に軸34に大きな力が働き、フック５や軸34を曲げてしまうことがある。すなわち、ドアを閉めて（Ａ）のようにスライドボタン４がストライカ本体 362に当接することにより、フックスライダ33が矢印（Ｓ）の方向に押されて、フック５が軸34を中心に回動し係止部 501が突出して、係止部 501がストライカ本体 362に当接する。
【００７１】
そこで、スライドボタン４はスプリング47を介して、フックスライダ33とは独立した状態で移動できるようになっているので、ドアを閉める力によってスプリング47を押し縮めながら、フックスライダ33はフック５によって矢印（Ｓ）方向にＬだけ移動させられると共に、スライドボタン４はフックケース35内に押し戻されて、スプリング47の弾性力により、軸34に働く衝撃力を緩めることができる。また、このようにスプリング47を設けることにより、スライドボタン４およびフック５の係止部 501を同時に、フックケース35内に押し込むことができる。
【００７２】
上記フックスライダ33のスライドにおいて、図３に示すようにフックスライダ33には中央ガイド面 336と先端ガイド面 334を形成し、図８に示すようにフックケース35に形成したガイド面 351とガイド面 353および軸34によりガイドするようにしたので、フックスライダ33のスライドを円滑に行うことができる。また、フックケース35にガイド面 351を設けると共に、壁面を切り起こしてガイド面 353を形成したので、このガイド面はプレス加工により簡単に形成することができると共に、ガイドとしての特別な機構はなく、部品点数を少なくすることができる。
【００７３】
上記説明では係合孔 331をフックスライダ33にあけ、係合ピン 502をフック５に設けたものを示したが、係合孔 331をフック５にあけ、係合ピン 501をフックスライダ33に設けるようにしてもその作用は同じである。
【００７４】
【発明の効果】
以上詳述した通り請求項１の記載に基づいて、発明の詳細な説明から把握される本発明によれば、フックケースに回動可能に軸支したフックの係止部が、フックスライダの移動方向と同一方向にフックケースの底部より出没可能なようにし、かつ、スライドボタンをフックケースの底部からフックスライダの移動方向に出没可能に取り付け、引き戸の開閉移動方向とフックスライダのスライド方向を一致させて、フックの係止部とスライドボタンを出没させるので、特別な連結機構を要することなく、ドアの開閉力を利用して施錠および施錠の解除を行うことができ、部品点数を少なくして加工性および組付性を向上すると共に、引き戸を開閉するだけで、施錠および施錠解除ができるので、その取扱を容易にすることができる。
【００７５】
また、スプリングを介してスライドボタンをフックスライダに取り付け、スライドボタンに軸方向の無理な力が働いた時に、フックスライダとは切り離された単独の状態で、スライドボタンをフックスライダの移動方向と同一方向にフックケースの底部より出没させるようにしたので、ストライカ本体とフックの係止部とが干渉しても、錠前の損傷を防止することができる。
【００７６】
そして、フックスライダとフックの端部との間をねじりコイルバネで連結し、フックスライダの移動によってフックが回転するように、フックとフックスライダとを連結し、ロック部材を用いることなく、ねじりコイルバネの弾性力により、フックの係止部とストライカとの間の係合を維持して引き戸の開きをロックし、開き戸の開きロックの解除は、ロック解除部材を用いることなく、フックスライダを移動してフックを回動し、フックの係止部とストライカの係合を解除するようにしたので、部品点数をすくなくすることができ、加工性および組付性を向上することができる。
【図面の簡単な説明】
【図１】本発明の一実施例を一部縦断面して示した図である。
【図２】図１に示した実施例の要部の作動状態を示した図である。
【図３】図１におけるフックスライダの平面図である。
【図４】図３の一部を縦断面して示した側面図である。
【図５】図１に示した実施例の要部の作動状態を示した図である。
【図６】図７のＸ−Ｘ線における縦断面図である。
【図７】図１におけるフックケースの一方を示す正面図である。
【図８】図１におけるフックケースの組み立て分解斜視図である。
【図９】図10のＹ−Ｙ線におけるストライカの縦断面図である。
【図１０】図１におけるストライカの平面図である。
【図１１】図10のＺ−Ｚ線における縦断面図である。
【図１２】図１におけるストライカ取付プレートの縦断面図である。
【図１３】図12の平面図である。
【図１４】図１におけるナットの平面図である。
【図１５】ストライカの他の実施例のフロントプレートの平面図である。
【図１６】ストライカ本体の他の実施例を示す平面図である。
【図１７】ワッシャーの平面図である。
【図１８】図15から図17に示すストライカの使用態様を示す縦断面図である。
【図１９】図15から図17に示すストライカの他の使用態様を示す縦断面図である。
【図２０】図15から図17に示すストライカの更に他の使用態様を示す縦断面図である。
【図２１】図１における把手とフックスライダとの関係を示す横断面図である。
【図２２】図１における把手の正面図である。
【図２３】係合孔の他の実施例を示す模式図である。
【図２４】フックが突出した状態で引き戸を閉めた時の状態を示す図である。
【図２５】図２３における係合孔に対する要部の作動状態を示した図である。
【図２６】従来例を示す図である。
【図２７】他の従来例を示す図である。
【図２８】更に他の従来例を示す図である。
【符号の説明】
４  スライドボタン
５  フック
501  係止部
502  係合ピン
503  ピン
33  フックスライダ
331  係合孔
34  軸
35  フックケース
37  ねじりコイルバネ
47  スプリング
【図１】
0003937193.tif 000002
【図２】
0003937193.tif 000003
【図３】
0003937193.tif 000004
【図４】
0003937193.tif 000005
【図５】
0003937193.tif 000006
【図６】
0003937193.tif 000007
【図７】
0003937193.tif 000008
【図８】
0003937193.tif 000009
【図９】
0003937193.tif 000010
【図１０】
0003937193.tif 000011
【図１１】
0003937193.tif 000012
【図１２】
0003937193.tif 000013
【図１３】
0003937193.tif 000014
【図１４】
0003937193.tif 000015
【図１５】
0003937193.tif 000016
【図１６】
0003937193.tif 000017
【図１７】
0003937193.tif 000018
【図１８】
0003937193.tif 000019
【図１９】
0003937193.tif 000020
【図２０】
0003937193.tif 000021
【図２１】
0003937193.tif 000022
【図２２】
0003937193.tif 000023
【図２３】
0003937193.tif 000024
【図２４】
0003937193.tif 000025
【図２５】
0003937193.tif 000026
【図２６】
0003937193.tif 000027
【図２７】
0003937193.tif 000028
【図２８】
0003937193.tif 000029